(57)【要約】【課題】簡易な構造で一度に１５０Ｋｇ程度の人を安全に搬送可能なベルトコンベア式エスカレータを提供する。【解決手段】下側支柱１、２と上側支柱３、４の下部間には側板５、６を勾配を有して取り付けている。側板５、６間には駆動ローラ７、案内ローラ８及び回転ローラ９を軸架している。駆動ローラ７と案内ローラ８には無端ベルト１７が、内側に案内ローラ８を配設して縣回されている。無端ベルト１７の上面には折畳式背もたれを有する足場１９を設けている。足場１９が上下支柱間を往来するようにモータ１１はスイッチ２２、２３、２４で駆動を制御されている。上側支柱３、４と下側支柱１、２間には、ワイヤー３７を張設し、駆動ローラ７を強制的に停止可能に形成している。【選択図】        図１
2005001882.tif 000002
【特許請求の範囲】
【請求項１】
高低差を有する２地点間を往来するためのベルトコンベア式エスカレータであって、
大人が正面を向いて通過可能に左右方向に離隔した１対の下側支柱と１対の上側支柱を設け、
前記下側支柱と前記上側支柱の下部間には勾配を有して左右１対の側板を設け、該側板間には、進行方向に沿って所定間隔を有して案内ローラ、回転ローラを軸架すると共に、前記下側支柱若しくは上側支柱のいずれか一方側の近傍にはスイッチの入切により回転動する駆動ローラを軸架し、
前記駆動ローラと回転ローラには進行方向に沿って移動可能に内側に案内ローラを配設して無端ベルトを懸回し、該無端ベルトの上側上面には水平な足場面を有する足場を設け、該足場は前記無端ベルトの上側上面にのみ位置して前記下側支柱と前記上側支柱との間を往来するように構成され、
前記駆動ローラを駆動するためのモーターへの電流供給回路を開閉するように作動するワイヤーを前記上下支柱間に張設してなる駆動ローラ強制停止手段を備えてなることを特徴とするベルトコンベア式エスカレータ。
【請求項２】
上記足場に折畳式背もたれを設けたことを特徴とする請求項１記載のベルトコンベア式エスカレータ。
【発明の詳細な説明】
【０００１】
【発明の属する技術分野】
本発明は、高低差を有する２地点間を往来するベルトコンベア式エスカレータに関する。
【０００２】
【従来の技術】
従来、高低差及び勾配を有する２地点間を立った状態で人が移動する形式のエスカレータとしては、動力により出発地点に形成された開口から順次足場が繰り出され、出発地点から目的地点迄の間を連続した移動階段に形成する構造のものが存在する。この移動階段式のエスカレータは大掛かりで多人数を一度に移動可能で、一般に百貨店、ホテル、駅舎等に設置されている。
又、歩道用コンベアとしては、滑り止めのための突起を進行方向に対して直角に設けた駆動ベルトをプーリー間に縣回し、プーリー間にはローラを設けたものが提案されている（例えば、実開昭６２−３２０７８号公報参照）。
【０００３】
【発明が解決しようとする課題】
上記従来例のうち移動階段式のエスカレータは、大掛かりな装置を必要とし家庭用には不向きで、又、経済面でも好ましくないという問題点があった。
又、実開昭６２−３２０７８号公報記載の考案はプーリー間をベルトが回転移動する構造であるため、地面とベルトとの間に段差を有し、乗り降りの際に危険を伴い、仮にプーリー間（ベルト）に勾配を設けても、身体を上方向に傾けなければベルト上を落下しそうになり足が滑って極めて危険であるという問題点があった。
そこで、本発明は上記従来技術の有する問題点を解消するために、ベルト上側上面にのみ水平な足場面を有する足場を設け、該足場が上下支柱間を往来するように形成することにより、簡易な構造で一度に１５０ｋｇ程度の人を安全に搬送可能なベルトコンベア式エスカレータを提供することを目的とする。
【０００４】
【課題を解決するための手段】
上記目的を達成するために本願発明のうち請求項１記載の発明は、高低差有する２地点間を往来するためのベルトコンベア式エスカレータであって、大人が正面を向いて通過可能に左右方向に離隔した１対の下側支柱と１対の上側支柱を設け、前記下側支柱と前記上側支柱の下部間には勾配を有して左右１対の側板を設け、該側板間には進行方向に沿って所定間隔を有して案内ローラ、回転ローラを軸架すると共に、前記下側支柱若しくは上側支柱のいずれか一方側の近傍にはスイッチの入切により回転動する駆動ローラを軸架し、前記駆動ローラと回転ローラには進行方向に沿って移動可能に内側に案内ローラを配設して、無端ベルトを懸回し、該無端ベルトの上側上面には水平な足場面を有する足場を設け、該足場は前記無端ベルトの上側上面にのみ位置して前記下側支柱と前記上側支柱との間を往来するように構成され、前記駆動ローラを駆動するためのモーターへの電流供給回路を開閉するように作動するワイヤーを前記上下支柱間に張設してなる駆動ローラ強制停止手段を備えてなることを特徴とする。
請求項２記載の発明は、上記足場に折畳式背もたれを設けたことを特徴とする。
【０００５】
【発明の実施の形態】
以下、図を参照にして本発明の実施の形態について説明する。図１は側板を一部切欠した一部省略斜視図、図２は支柱及び無端ベルトを一部切欠した状態を示す平面図、図３は背もたれを示す説明図、図４は使用状態を示す側面説明図である。これらの図において、下側支柱１、２は、大人が下側支柱１、２間を正面向きで通過可能に左右方向に所定距離離隔して対向する位置に垂直に設けている。上側支柱３、４は下側支柱１、２と平行且つ対向して垂直に設けられている。下側支柱１、２と上側支柱３、４は往来する２地点間に設置可能に配設されており、下側支柱１、２と上側支柱３、４の対応する下部間には側板５、６が架け渡されて取り付けられている。側板５、６は往来する２地点間の勾配と同様の勾配を有するように傾斜して取り付けられている。側板５、６間のうち下側支柱１、２の近傍には駆動ローラ７が回転可能に軸架され、かつ側板５、６間には長手方向に沿って案内ローラ８及び回転ローラ９が所定間隔を有して軸架されている。詳しくは、駆動ローラ７はその左右軸端が側板５、６に回転可能に取り付けられ、一方の軸端は側板６に遊挿し、側板６の外側方に於いてスプロケットホイール１０が取り付けられている。スプロケットホイール１０とモーター１１のモーター軸に設けたスプロケットホイール１２には無端のチェーン１３が懸回され、モーター１１の動力を駆動ローラ７に伝達するように形成されている。案内ローラ８と回転ローラ９は左右に突出する軸芯１４と外筒１５との間にベアリング１６を介在させて形成され、外筒１５のみが後述する無端ベルト１７の移動に応じて回転するように軸芯１４を側板５、６に取り付けて側板５、６間にローラ８、９を軸架している。駆動ローラ７と回転ローラ９には、内側に案内ローラ８を配設させて無端ベルト１７が懸回されている。無端ベルト１７は、耐荷重性、耐引張強度を有する材質により形成されていればよく、例えば合成繊維、金属、ゴム等が考えられる。無端ベルト１７の上側上面には水平な足場面１８を有する足場１９が無端ベルト１７に一体的に取り付けられている。足場１９の左右両側には支持棒２９が一体的に立設されている。図３に示すように、支持棒２９の上端には第１と第２の係止部３０、３１を有する背もたれ杆３２が枢着されている。この枢着部の下方には第１と第２の係止部３０、３１と係合可能な爪部３３を備えた突っ張り杆３４を枢着している。下側支柱１、２と上側支柱３、４との間には所定間隔を有して支柱３５を設け、支柱３５の内側面には案内リング３６を設けている。ワイヤー３７は、案内リング３６内を遊挿されて上下支柱１、３、２、４間に緊張し、一端方はモーター１１の電流供給用回路のスイッチ（図示せず）に作動するように構成されている。下側支柱１、２及び上側支柱３、４の足場１９と対応する部位にはストッパー２０を設けている。２１、２１は手摺りであって、対応する上下支柱１、２、３、４の上部間に架設し、モーター１１を駆動させるためのスイッチ２２、２３、２４や、チャイム用スイッチ２５を具備している。スイッチ２２とスイッチ２３は、モーター１１の回転動が正逆反転するように構成されている。下側支柱２に設けられたスイッチ２４は、足場１９が下側支柱１、２の下部に位置していない場合に足場１９を下側支柱１、２方へ無端ベルト１７の回転動により移動させるためのもので、上側支柱３に設けられたスイッチ２４は上側支柱３、４よりも下側に足場１９が位置している場合に上側支柱３、４の位置まで足場１９を無端ベルト１７の回転動により移動させるように構成されている。スイッチ２５は家屋内に音が発生するように接続されたチャイム用スイッチであってインターホーンも併設することが考えられる。図４中に一点鎖線で示すように、下側支柱１、２と上側支柱３、４には支柱２６を上方に延設し、テント２７を設けることもできる。
【０００６】
作用について説明する。下側支柱１、２間より人２８が入って足場面１８に立ち、安全のために背もたれ杆３２を起き上がらせて背もたれを形成し、第１の係止部３０と爪部３３を係合し背もたれを形成する。足場１９が下側支柱１、２の上側方に位置している場合は、下側支柱２のスイッチ２４を入にして無端ベルト１７を回転動させ、足場１９を下側支柱１、２に設けたストッパー２０にて停止させ、スイッチ２４を切にし足場１９を下側支柱１、２の下部に位置させる。スイッチ２２を入にすると、モーター１１はモーター軸を上側支柱３、４方向に回転するように駆動し、無端ベルト１７は上側支柱３、４方向へと回転動する。足場１９は無端ベルト１７と共に上方へ移動し、ストッパー２０により係止される。人２８はスイッチ２３を押圧し、回路を開回路にし、モーター１１の駆動を停止させ、無端ベルト１７上より降りる。案内ローラ８及び回転ローラ９は軸芯１４が側板５、６に固定され、外筒１５のみが無端ベルト１７の回転動に伴って回転するように働らく。
次に、人２８が下へ降りる場合について説明する。足場１９が上側支柱３、４の下側方に位置している場合はスイッチ２４を入にし、無端ベルト１７を回転動させ、足場１９を上側支柱３、４に設けたストッパー２０にて停止しスイッチ２４を切にして足場１９を上側支柱３、４の下部に位置させる。足場面１８に立った状態でスイッチ２３を入にし、モーター軸が下方向に回転するようにモーター１１を駆動させる。無端ベルト１７は下側支柱１、２方向へ回転移動し、足場１９の前端面が下側支柱１、２の下部に設けたストッパー２０により係止される。スイッチ２２を切にしてモーター１１の駆動を停止し、人２８は足場１９より地面に降りる。
上下支柱間を移動中に無端ベルト１７の回転動を停止させる場合は、使用者がワイヤー３７を内側に引き、モーター１１への電流の供給を停止させる。無端ベルト１７は、駆動ローラー７の停止により直ちに回転動を停止する。
【０００７】
図５に示される実施の形態について説明する。駆動ローラ７、案内ローラ８及び回転ローラ９の軸芯をスプロケットホイールに形成し、無端のチェーン３８を案内ローラ８の軸芯に設けたスプロケットホイールに噛合させ、且つ駆動ローラ７と回転ローラ９の軸芯に設けたスプロケットホイールに噛合して懸回している。他の構成は、前述の図１〜図３に示される実施の形態と同様である。
【０００８】
【発明の効果】
本発明は単純な構成で低コスト化でき、例えば個人の庭等に於ける高低差を有する２地点間を安全に人を移動可能であるという効果を有する。
又、屋内の既存の階段部分を低コストでベルトコンベア式エスカレータにリフォームすることができるという効果がある。
【図面の簡単な説明】
【図１】側板を一部切欠した一部省略斜視図である。
【図２】下側支柱、上側支柱、側板及び無端ベルトを一部切欠した状態を示す平面説明図である。
【図３】背もたれを示す説明図である。
【図４】使用状態を示す側面説明図である。
【図５】本発明の他の実施の形態における駆動ローラ、案内ローラ、回転ローラ及びチェーンの取り付け構造を示す説明図である。
【符号の説明】
１、２  下側支柱
３、４  上側支柱
５、６  側板
７  駆動ローラ
８  案内ローラ
９  回転ローラ
１７  無端ベルト
１８  足場面
１９  足場
２２、２３  スイッチ
２８  人
３２  背もたれ杆
３７  ワイヤー
【図１】
2005001882.tif 000003
【図２】
2005001882.tif 000004
【図３】
2005001882.tif 000005
【図４】
2005001882.tif 000006
【図５】
2005001882.tif 000007